(57)【要約】【課題】  搭載メモリ以上の長尺原稿のコピーを可能とし、原稿を読み取りながら出力を非同時に行えるようにし、長尺入力中でも定型サイズの入力、出力を行うことのできる画像形成装置をユーザに提供する。【解決手段】  長尺原稿を読み取り可能な画像読み取り装置において、まず、画像データの入出力をできるようにすることと、さらに、画像入力用メモリと、画像データを圧縮、前記圧縮画像データを格納、圧縮データの蓄積用メモリへの転送、入出力用メモリを備えることにある。そして、前記画像形成装置は、圧縮データの蓄積用メモリへの転送の際には、前記長尺原稿が読み取られながら行われ、画像出力の際には前記データが伸張されながら行われ、入出力用メモリは定型サイズ用画像データが使用されるようにすることである。【選択図】  図１
2006129279.tif 000002
【特許請求の範囲】
【請求項１】
長尺原稿を読み取り可能な画像読み取り装置において、画像データを入力する画像入力手段と、前記画像入力手段により入力された画像データを記憶しておく画像入力用メモリと、前記画像データを圧縮する画像データ圧縮手段と、前記画像圧縮データを格納する圧縮画像データの格納手段と、前記画像圧縮データを蓄積用メモリへ転送する転送手段と、前記画像データを出力する画像出力手段と、定型サイズ用画像データが使用される入出力用メモリとを有し、
前記圧縮データの前記蓄積用メモリへの転送の際には、前記長尺原稿が読み取られながら行われ、画像出力の際には前記データが伸張されながら行われ、前記入出力用メモリは定型サイズ用画像データが使用されることを特徴とする画像形成装置。
【請求項２】
前記蓄積用メモリが外部記憶装置（ＨＤＤ）であることを特徴とする請求項１記載の画像形成装置。
【請求項３】
前記蓄積用メモリが揮発性メモリ（ＲＡＭ）であることを特徴とする請求項１記載の画像形成装置。
【発明の詳細な説明】
【技術分野】
【０００１】
本発明は、コピーアプリ、プリンタアプリ、スキャナアプリ、ＦＡＸアプリ等において、搭載メモリ以上の長尺原稿のコピーを可能とする画像形成装置に関する。
【背景技術】
【０００２】
従来、読み取ったイメージデータをページメモリに格納する原稿読取装置では、予め定められた容量のイメージデータしか入力できないため、この容量を越えるイメージデータは読み取ることができない。また、等速度で原稿を搬送する原稿読取装置では、読取途中で原稿読取を中断することはできないので、ページメモリの容量の回復を待つことはできない。
【０００３】
従って、等速度で原稿を搬送して原稿を読み取り、そのイメージデータをページメモリに格納する上記原稿読取装置では、読取可能な原稿の長さは制限されるという問題点があった。
【０００４】
イメージデータを一時的に所定容量の記憶装置に格納し、格納されたイメージデータの量に基づいて、圧縮、符号化し、圧縮符号化された符号データをメモリに格納することで、長尺原稿の後端を検出するまで原稿を読み取り、原稿の全部を読み取る（例えば、特許文献１参照）。
【特許文献１】特開平０８−１１６４１１号公報
【発明の開示】
【発明が解決しようとする課題】
【０００５】
従来の技術では、画像形成装置においては、搭載メモリ容量で長尺原稿長が決まってしまい、また、データを圧縮して蓄積できなかったという欠点があった。
【０００６】
本発明は、長尺原稿のコピー動作の際、データを圧縮すること、前記圧縮データの蓄積用メモリへの転送すること、転送されたデータを伸張することで、搭載メモリ以上の長尺原稿のコピーを可能とし、さらに、長尺出力中でも定型サイズの入力を行うことを目的とする。
【課題を解決するための手段】
【０００７】
請求項１にかかる発明は、長尺原稿を読み取り可能な画像読み取り装置において、画像データを入力する画像入力手段と、前記画像入力手段により入力された画像データを記憶しておく画像入力用メモリと、前記画像データを圧縮する画像データ圧縮手段と、前記画像圧縮データを格納する圧縮画像データの格納手段と、前記画像圧縮データを蓄積用メモリへ転送する転送手段と、前記画像データを出力する画像出力手段と、定型サイズ用画像データが使用される入出力用メモリとを有し、前記圧縮データの前記蓄積用メモリへの転送の際には、前記長尺原稿が読み取られながら行われ、画像出力の際には前記データが伸張されながら行われ、前記入出力用メモリは定型サイズ用画像データが使用されることを特徴とする画像形成装置である。
【０００８】
請求項２にかかる発明は、前記蓄積用メモリが外部記憶装置（ＨＤＤ）であることを特徴とする請求項１記載の画像読み取り装置である。
【０００９】
請求項３にかかる発明は、前記蓄積用メモリが揮発性メモリ（ＲＡＭ）であることを特徴とする請求項１記載の画像読み取り装置である。
【発明の効果】
【００１０】
本発明により、搭載メモリ以上の長尺原稿のコピーを可能とし、原稿を読み取りながら出力を非同時に行えるようになり、長尺入力中でも定型サイズの入力、出力を行うことが可能となる。
【発明を実施するための最良の形態】
【００１１】
次に、本発明の実施形態の構成について図面を参照して説明する。
【００１２】
図１を参照すると、本実施の形態における画像形成装置は、自動原稿送り装置（ＡＤＦ）１と、原稿台２と、給送ローラ３と、給送ベルト４と、排送ローラ５と、コンタクトガラス６と、原稿セット検知７と、第１トレイ８と、第２トレイ９と、第３トレイ１０と、第１給紙ユニット１１と、第２給紙ユニット１２と、第３給紙ユニット１３と、縦搬送ユニット１４と、感光体１５と、搬送ベルト１６と、定着ユニット１７と、排紙ユニット１８と、排紙トレイ１９と、読み取りユニット５０と、露光ランプ５１と、第１ミラー５２と、レンズ５３と、ＣＣＤイメージセンサ５４と、第２ミラー５５と、第３ミラー５６と、書き込みユニット５７と、レーザ出力ユニット５８と、結像レンズ５９と、ミラー６０と、フィニッシャー１００と、分岐偏光板１０１と、排紙搬送ローラ１０２、１０３と、排紙トレイ１０４と、ステープラ搬送ローラ１０５、１０７と、ステープラ１０６と、ステープル・トレイ１０８と、ジョガー１０９と、ステープル完了排紙トレイ１１０と、両面搬送ユニット１１１と、反転ユニット１１２と、両面入紙搬送路１１３と、反転排紙搬送路１１４から構成されている。
【００１３】
ＡＤＦ１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。一枚の原稿の給送完了ごとに原稿枚数をカウントする機能を有している。
【００１４】
次に、給送された原稿は読取ユニット５０によってコンタクトガラス６上の原稿の画像データを読み取り後、読み取りが終了した原稿は、給送ベルト４及び排送ローラ５により排出される。
【００１５】
さらに、原稿セット検知７にて原稿台２に次の原稿が有ることを検知した場合、前原稿と同様にコンタクトガラス６上に給送される。これは給送ローラ３、給送ベルト４、排送ローラ５は搬送モータ２６によって駆動される。
【００１６】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。
【００１７】
読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００１８】
後処理装置のフィニシャ１００は、本体の排紙ユニット１８によって搬送された転写紙を、通常排紙ローラ１０２方向と、ステープル処理部方向へ導く事ができる。切り替え板１０１を上に切り替える事により、搬送ローラ１０３を経由して通常排紙トレイ１０４側に排紙する事ができる。
【００１９】
また、切り替え板１０１を下方向に切り替える事で、搬送ローラ１０５、１０７を経由して、ステープル台１０８に搬送する事ができる。
【００２０】
ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００２１】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００２２】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００２３】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。
【００２４】
縦搬送ユニット１４はメインモータ２５の駆動を中間クラッチ２１によって伝達駆動される。
【００２５】
次に、上記画像形成装置の原稿読み取りから、画像の書き込みまでを説明する。
【００２６】
読み取りユニット５０は、原稿を載置するコンタクトガラス６と光学走査系で構成されている。光学走査系は、露光ランプ５１、第１ミラー５２、レンズ５３、ＣＣＤイメージセンサ５４等で構成されている。
【００２７】
図１に図示しないが、第１キャリッジ上に、露光ランプ５１及び第１ミラー５２が固定され、第２キャリッジ上に、第２ミラー５５及び第３ミラー５６が固定されている。
【００２８】
原稿像を読み取る際は、光路長が変わらないように、第１キャリッジ第２キャリッジとが２対１の相対速度で機械的に操作される。この光学走査系は、図示しないが、スキャナ駆動モータにて駆動される。
【００２９】
原稿画像は、ＣＣＤイメージセンサ５４によって読み取られ、電気信号に変換されて処理される。
【００３０】
書き込みユニット５７は、レーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。
【００３１】
書き込みユニット５７から出力されるレーザ光が、画像作像系の感光体１５に照射される。図示しないが、主走査同期信号を発生するビームセンサが、感光体１５の一端近傍のレーザビームを照射される位置に配置されている。
【００３２】
次に、図２を参照すると、本実施の形態における画像形成装置の操作部３０は、液晶タッチパネル３１と、テンキー３２と、クリア／ストップキー３３と、プリントキー３４と、予熱キー３５と、リセットキー３６と、初期設定キー３７とから構成されている。
【００３３】
液晶タッチパネル３１には、各種機能キー及び画像形成装置の状態を示すメッセージなどが表示される。オペレータが液晶タッチパネル３１に表示されたキーにタッチする事で、選択された機能を示すキーが黒く反転する。
【００３４】
また、機能の詳細を指定しなければならない場合（例えばページ印字の種類等）はキーにタッチする事で詳細機能の設定画面が表示される。
【００３５】
液晶タッチパネルは、ドット表示器を使用している為、その時の最適な表示をグラフィカルに行う事が可能である。
【００３６】
初期設定キー３７を押す事で、機械の初期状態を任意にカスタマイズする事が可能である。これにより機械が収納している用紙サイズを設定したり、コピー機能のリセットキー３６を押したときに設定される状態を任意に設定可能である。
【００３７】
また、一定時間操作がないときに優先して選択されるアプリケーション等も選択する事が可能である。
【００３８】
国際エネルギースター計画に従った低電力への移行時間の設定や、オートオフ／スリープモードへの移行する時間を設定する事が可能である。
【００３９】
予熱キー３５を押すと、機械は待機状態から、電力低減状態に移行し、定着温度を低下させたり、操作部の表示を消灯する。予熱状態は、国際エネルギースター計画でいう、低電力状態を意味している。また、上記予熱キー３５を再度押下することにより機械が、予熱状態、オフ状態／スリープ状態を解除され、待機状態に移行させられる。
【００４０】
次に、図３を参照すると、本実施形態におけるメインコントローラ２０を中心とした、制御装置は、メインコントローラ２０と、操作部３０と、液晶ディスプレイ３１と、キー入力３２から３５と、ＩＰＵ４９と、ＡＤＦ１と、搬送モータ２６と、原稿セット検知７と、メインモータ２５と、中間クラッチ２１と、第１給紙クラッチ２２と、第２給紙クラッチ２３と、第３給紙クラッチ２４から構成されている。
【００４１】
メインコントローラ２０は画像形成装置全体を制御する。
【００４２】
メインコントローラ２０には、オペレータに対する表示、オペレータからの機能設定入力制御を行う操作部３０、スキャナの制御、原稿画像を画像メモリに書き込む制御、画像メモリからの作像を行う制御等を行うＩＰＵ４９、ＡＤＦ１等の分散制御装置が接続されている。各分散制御装置とメインコントローラ２０は必要に応じて機械の状態、動作司令のやりとりを行っている。また紙搬送等に必要なメインモータ２５、各種クラッチ２１から２４も接続されている。
【００４３】
次に、図４を参照すると、本実施の形態におけるＩＰＵ４９内部構成のブロック図は、メモリコントローラ６５と、画像メモリ６６と、ＣＰＵと、ＲＯＭ６９と、ＲＡＭ７０と、ＮＶ−ＲＡＭ７４と、ＨＤＤ７５と、Ｉ／Ｏポート６７と、電話回線通信制御ユニット９０と、ＣＣＤ５４と、Ａ／Ｄコンバータ６１と、シェーディング補正６２と、ＭＴＦ・γ補正６３と、セレクタ６４と、印字合成７１と、変倍回路７７と、書き込みユニット５７と、印字イメージデータ発生装置（印字ユニット）７６から構成されている。
【００４４】
露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。
【００４５】
その後、印字合成部７１を介して入力した画像データを変倍回路７６へ、あるいは、画像メモリコントローラ６５へ切り替えて供給するものであり、変倍回路７７を経由した画像信号は変倍率に合わせて拡大縮小され、書き込みユニット５７に送られる。
【００４６】
一方、画像メモリコントローラ６５とセレクタ６４間は、双方向に画像信号を入出力可能な構成となっている。
【００４７】
図４には明示していないが、ＩＰＵ４９には読み取りユニット５０から入力される画像データ以外にもＩ／Ｏポート６７、電話回線通信制御ユニット９０を介して外部から供給される画像データ、例えばパーソナルコンピュータ等のデータ処理装置から入力したデータも処理できるよう、複数のデータの入出力の選択を行う機能を有している。
【００４８】
本発明において、Ｉ／Ｏポート６７を介して画像形成装置をネットワーク接続しており、その通信手段には、インターネットの標準プロトコルとして普及されているＴＣＰ／ＩＰ通信プロトコルを用いる。
【００４９】
また、本発明は，図４のようなネットワーク構成を持ち、ネットワーク接続された各画像形成装置の機械構成情報や動作状況、もしくはリモート出力コマンド等の制御コマンド、設定コマンドの送受信を行っている。
【００５０】
電話回線通信制御ユニット９０は付属のアンテナを介して無線通信網より得られるアナログ情報をデジタル化する、もしくは、画像メモリ６６やＨＤＤ７５、ＲＯＭ６９、ＲＡＭ７０、ＮＶ−ＲＡＭ７４に記憶されているデータをアナログ情報に変換し無線通信網を経由して、所定の携帯端末に送信する機能を持つ。これにより、一般の電話と上記画像形成装置とのデータの送受信を可能にしている。
【００５１】
また、画像メモリコントローラ６５等への設定や、ＣＰＵ６８によって、読み取り部５０書き込み部５７の制御が行われ、及びＲＯＭ６９、ＲＡＭ７０、ＮＶ−ＲＡＭ７４によって、そのプログラムやデータを格納される。
【００５２】
更にＣＰＵ６８は、メモリコントローラ６５を介して、画像メモリ６６のデータの書き込み、読み出しが行うことができる。
【００５３】
原稿画像で画像メモリコントローラ６５へ送られた画像は、画像メモリコントローラ内にある画像圧縮装置によって画像データを圧縮した後、画像メモリ６６に送られる。ここで画像圧縮する理由は、最大画像サイズ分の２５６階調のデータをそのまま画像メモリ６６に書き込む事も可能であるが、１枚の原稿画像で画像メモリを大変多く使用する。画像圧縮を行う事で、限られた画像メモリ６６を有効に利用できる。
【００５４】
また、一度に多くの原稿画像データを記憶することができるため、ソート機能として、貯えられた原稿画像イメージデータをページ順に出力する事ができる。この場合画像を出力する際に画像メモリ６６のデータをメモリコントローラ６５内の伸長装置で順次伸長しながら出力を行う。このような機能は一般に「電子ソート」と呼ばれている。
【００５５】
また画像メモリ６６の機能を利用して、複数枚の原稿画像を、画像メモリ６６の転写紙一枚分のエリアを分割したエリアに順次読み込む事も可能となる。例えば４枚の原稿画像を、画像メモリ６６の転写紙一枚分の４等分されたエリアに順次書き込む事で、４枚の原稿が一枚の転写紙イメージに合成され集約されたコピー出力を得ることが可能となる。このような機能は一般に「集約コピー」と呼ばれている。
【００５６】
画像メモリ６６の画像はＣＰＵ６８からアクセス可能な構成となっている。このため画像メモリ６６の内容を加工することが可能であり、例えば画像の間引き処理、画像の切り出し処理等が行える。加工には、メモリコントローラ６５のレジスタにデータを書き込む事で画像メモリ６６の処理を行う事ができる。加工された画像は再度画像メモリ６６に保持される。
【００５７】
画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするためにメモリコントローラ６５とのインターフェースにリード用とライト用の二組のアドレス・データ線で接続されている。これによりエリアＩに画像を入力（ライト）する間にエリアIIより画像を出力（リード）するという動作が可能になる。
【００５８】
画像メモリ６６は、多くの画像データを収納するためハードディスク７５を別に設けることもある。ハードディスク７５を用いる事により、外部電源が不用で永久的に画像を保持できる特徴もある。複数の定型の原稿（フォーマット原稿）をスキャナで読み込み保持するためには、このハードディスク７５が用いられる。書き込み、読み出しには本体の作像やスキャナからの画像書き込みに対し処理速度の差を吸収するために、画像メモリに一旦記憶され処理される。
【００５９】
また上記画像記憶装置からのデータを書き込みユニット５７に送る際は、画像メモリ６６に一旦記憶し、書き込みユニット５７に送ることになる。このように画像を記憶する装置の画像メモリ６６、ＨＤＤ７５、スキャナ画像、書き込みユニットに送る画像の入出力は全てメモリコントローラ６５によって画像パスを決められる。
【００６０】
次に、図５を参照すると、本実施の形態におけるメモリコントローラ内部のブロック図は、メモリコントローラ６５と、入力ＤＭＡＣ８２と、出力ＤＭＡＣ８３と、ＤＭＡＣ８４と、エンジン７９と、画像メモリ６６と、圧縮用メモリ７８と、伸張器８０と、圧縮機８１と、ＨＤＤ７５から構成されている。
【００６１】
メモリコントローラ６５の内部に入力ＤＭＡＣ８２と、出力ＤＭＡＣ８３と、ＤＭＡＣ８４が配置される。
【００６２】
メモリコントローラ６５からのデータが、エンジン７９と、画像メモリ６６と、圧縮用メモリ７８それぞれに相互に移動できるようになっている。
【００６３】
また、ＨＤＤ７５内のデータは、伸張器８０を経由してメモリコントローラ６５へ、メモリコントローラ６５のデータは、圧縮器８１を経由してＨＤＤ７５へ移動できる。
【００６４】
次に、図６を参照すると、請求項１、２、３のメモリブロック図は、長尺入力用ページメモリ８６と、定型サイズ入力用ページメモリ８７と、圧縮器８１と、蓄積用メモリ（ＨＤＤ）、または（ＲＡＭ）８５と、伸張器８０と、長尺出力用ページメモリ８８と、定型サイズ出力用ページメモリ８９から構成されている。
【００６５】
ページメモリに画像が入力された後、データの圧縮が行われ、その圧縮データが蓄積用メモリにストアされる。その後、ストアされた上記圧縮データの伸張が行われ、出力される。
【００６６】
次に、本発明の一実施の形態における上記画像入力処理、および上記画像出力処理のフローを、フローチャートを用いて詳細に説明する。
【００６７】
図７は、上記画像入力処理のフローを示すフローチャートである。
【００６８】
まず、ページメモリ入力が１から５０％であるか否かを判断し（ステップＳ１０１）、範囲内であれば（ステップＳ１０１／Ｙｅｓ）、データの入力を終了するか否かを判断し（ステップＳ１０２）、終了した場合（ステップＳ１０２／Ｙｅｓ）、残りの画像データの圧縮を行い（ステップＳ１０３）、蓄積メモリへストアし（ステップＳ１０４）、入力処理を終了する。
【００６９】
ここで、さらにデータを入力する場合（ステップＳ／Ｎｏ）、入力アドレスをリセットし、ページメモリの先頭に入力アドレスを戻す。
【００７０】
次に、ステップＳ１０１において、入力画像が５０％を越える場合（ステップＳ１０１／Ｎｏ）は、次に、ページメモリ入力が５１％から１００％であるか否かを判断する（ステップＳ１０５）。
【００７１】
ここで、入力が範囲内（ステップＳ１０５／Ｙｅｓ）であれば、データを１から５０％までの入力画像の圧縮を行い（ステップＳ１０６）、蓄積メモリへストアし（ステップＳ１０７）、ステップＳ１０２へ到達する。
【００７２】
次に、ステップＳ１０５において、ページメモリの１００％以上の画像が入力された場合（ステップＳ１０５／Ｎｏ）、長尺の場合、ページのメモリ分では収まらないため、ページアドレスをリセットし、入力が０％であるものとする（ステップＳ１０８）。
【００７３】
これと共に、５１％から１００％までの入力画像の圧縮を行い（ステップＳ１０９）、蓄積メモリへストアする（ステップＳ１０７）。
【００７４】
図８は、上記画像出力処理のフローを示すフローチャートである。
【００７５】
まず、１から５０％の画像をＨＤＤより出力して伸張する（ステップＳ１１０）。
【００７６】
ページメモリが１から５０％の画像を出力しているか否かを判断し（ステップＳ１１１）、範囲内であれば（ステップＳ１１１／Ｙｅｓ）、５１から１００％に出力画像を伸張し（ステップＳ１１２）、画像データの出力が終了したか否かを判断する（ステップＳ１１３）。
【００７７】
そこで、出力が終了していれば（ステップＳ１１３／Ｙｅｓ）、フローを終了する。
【００７８】
次に、ステップＳ１１１において、ページメモリが５０％を越える出力の場合（ステップＳ１１１／Ｎｏ）、１から５０％に出力画像を伸張し（ステップＳ１１４）、ステップＳ１１３に到達する。
【００７９】
次に、ステップＳ１１３において、データ出力があれば（ステップＳ１１３／Ｎｏ）、ステップＳ１１１に戻る。
【００８０】
この長尺画像の出力中に第６図に示す定型サイズ入力用ページメモリを使用して、コピー画像やドキュメントボックス入力を行うことができる。定型サイズの蓄積用メモリへの蓄積は長尺データと同様である。
【００８１】
また、長尺画像の入力中には、第６図に示す定型サイズ出力用ページメモリを使用して、コピー画像やドキュメントボックス出力を行うことができる。定型サイズの蓄積用メモリからの出力は長尺データと同様である。
【産業上の利用可能性】
【００８２】
デジタル複合機いわゆるＭＦＰ（Multi-Function-Peripherals）として利用可能である。
【００８３】
ＭＦＰは、コピー、ファクシミリ、プリンタ、スキャナなどの機能を１台に集約し、効率的なオフィス業務を供する端末装置で、様々な機能を１台に集約させることにより、無駄なスペースをなくし、それぞれに必要だった消耗品を一元化できる特徴がある。
【００８４】
スキャナ機能を搭載したＭＦＰでは、文書管理ソフトを併せて使用することで紙文書データ化し、ＰＣ上にデータとして保存することができる。そのため、大量の紙文書を保存するスペースをとる必要がなく、ペーパレス化が実現できる。
【００８５】
ＰＣＦＡＸ機能を使用すれば、パソコン上から直接相手のＦＡＸに送ることができ、無駄な用紙を出す必要がない。
【００８６】
現在ではカラーコピーを搭載したＭＦＰも出てきている。プリンタでカラー出力する機会が増えているため、カラーコピーのニーズも徐々に高まっている。全ての機能を搭載したＭＦＰでオフィスの効率化を図ることができる。
【図面の簡単な説明】
【００８７】
【図１】本発明の一実施形態の画像形成装置の概略構成図である。
【図２】本発明の一実施形態の図１中の操作部の概略構成図である。
【図３】本発明の一実施形態のメインコントローラを中心とした制御装置を示す図である。
【図４】本発明の一実施形態の画像処理ユニットの内部構成を表したブロック図である。
【図５】本発明の一実施形態のメモリコントローラ内部のブロック図である。
【図６】本発明の請求項に基くメモリブロック図である。
【図７】本発明の一実施形態の画像入力処理動作を示すフローチャートである。
【図８】本発明の一実施形態の画像出力処理動作を示すフローチャートである。
【符号の説明】
【００８８】
１    自動原稿送り装置（ＡＤＦ）
２    原稿台
３    給送ローラ
４    給送ベルト
５    排送ローラ
６    コンタクトガラス
７    原稿セット検知
８    第一トレイ
９    第二トレイ
１０    第三トレイ
１１    第一給紙ユニット
１２    第二給紙ユニット
１３    第三給紙ユニット
１４    縦搬送ユニット
１５    感光体
１６    搬送ベルト
１７    定着ユニット
１８    排紙ユニット
１９    排紙トレイ
２０    メインコントローラ
２１    中間クラッチ
２２    第１給紙クラッチ
２３    第２給紙クラッチ
２４    第３給紙クラッチ
２５    メインモータ
２６    搬送モータ
３０    操作部
３１    液晶タッチパネル
３２    テンキー
３３    クリア／ストップキー
３４    プリントキー
３５    予熱キー
３６    リセットキー
３７    初期設定キー
４９    画像処理ユニット（ＩＰＵ）
５０    読み取りユニット
５１    露光ランプ
５２    第一ミラー
５３    レンズ
５４    ＣＣＤイメージセンサ
５５    第二ミラー
５６    第三ミラー
５７    書き込みユニット
５８    レーザ出力ユニット
５９    結像レンズ
６０    ミラー
６１    Ａ／Ｄコンバータ
６２    シェーディング補正
６３    ＭＴＦ・γ補正
６４    セレクタ
６５    メモリコントローラ
６６    画像メモリ
６７    Ｉ／Ｏポート
６８    ＣＰＵ
６９    ＲＯＭ
７０    ＲＡＭ
７１    印字合成
７４    ＮＶ−ＲＡＭ
７５    ＨＤＤ
７６    印字イメージデータ発生装置（印字ユニット）
７７    変倍回路
７８    圧縮用メモリ
７９    エンジン
８０    伸張器
８１    圧縮器
８２    入力ＤＭＡＣ
８３    出力ＤＭＡＣ
８４    ＤＭＡＣ
８５    蓄積用メモリ（ＣＰＵ）（ＲＡＭ）
８６    長尺入力用メモリ
８７    定型サイズ入力用ページメモリ
８８    長尺出力用ページメモリ
８９    定型サイズ出力用ページメモリ
９０    電話回線通信制御ユニット
１００    フィニッシャー
１０１    分岐偏光板
１０２    排紙搬送ローラ
１０３    排紙搬送ローラ
１０４    排紙トレイ
１０５    ステープラ搬送ローラ
１０６    ステープラ
１０７    ステープラ搬送ローラ
１０８    ステープル・トレイ
１０９    ジョガー
１１０    ステープル完了排紙トレイ
１１１    両面搬送ユニット
１１２    反転ユニット
１１３    両面入紙搬送路
１１４    反転排紙搬送路
【図１】
2006129279.tif 000003
【図２】
2006129279.tif 000004
【図３】
2006129279.tif 000005
【図４】
2006129279.tif 000006
【図５】
2006129279.tif 000007
【図６】
2006129279.tif 000008
【図７】
2006129279.tif 000009
【図８】
2006129279.tif 000010